(57)【要約】【課題】本来の育毛及び発毛促進効果のあるとされるような頭皮細胞を活性化させる素材  を提供する。【解決手段】織布又は不織布の裏面或いは裏材或いは芯材に、プラスイオンよりもマイナスイオンの方が多く同時生成しつつ、同時に遠赤外線が増幅し放射する混合体組成物或いは樹脂組成物を、全面又は一部に印刷及び又は塗布してなる帽子を構成する。【選択図】なし【特許請求の範囲】
【請求項１】
織布又は不織布の裏面或いは裏材或いは芯材に、プラスイオンよりマイナスイオンの方が多く同時生成しつつ、同時に遠赤外線が増幅し放射する混合体組成物或いは樹脂組成物を、全面又は一部に印刷及び又は塗布してなることを特徴とする発毛機能を有する帽子
【請求項２】
前記混合体組成物として、堆積礫岩天然鉱石と希土元素類を含む天然鉱石の混合体組成物であり、又前記樹脂組成物として、堆積礫岩天然鉱石と希土元素類を含む天然鉱石と、静電気に帯電しない樹脂を混合した樹脂組成物からなる請求項１記載の発毛機能を有する帽子
【発明の詳細な説明】
【技術分野】
【０００１】  本発明は、発毛機能を有する帽子を主とし、帽子材料の全面または一部から、プラスイオンよりもマイナスイオンの方が多く同時生成しつつ、同時に遠赤外線が増幅し放射することを図った頭皮部の細胞活性効果による発毛効果が得られる帽子に関する。
【背景技術】
【０００２】  従来、帽子は、一般に頭皮及び頭髪及び眼の保護並びに被覆を主として、日光からの防御、冬寒からの防御並びにファッション性被覆としていたが、近年の健康意識の高まりにより、抗菌効果のある素材を使用したり、遠赤外線を利用した温熱効果のある素材を使った帽子が販売されている。【０００３】  また従来、遠赤外線を利用した育毛促進帽子もすでに出願されているが、貝殻、海草類の粉末を炭化して遠赤外線を発生させ帽子にプリントして使用する帽子がある。
【特許文献１】特開平９−２０６３８９
【０００４】  次に、育毛用繊維製品として、マイナスイオンの発生繊維にて帽子等の育毛用製品を提供しているものが出願されているが、マイナスイオンの発生物資において、セラミック及び天然鉱石が上げられておりますが、アルミナ等のセラミックスにおいては、通常アルミナ系の混合体となって、遠赤セラミックとして利用されることが多く、マイナスイオンの発生の可能性が低いと考えられている。また、天然鉱石を発生物質として、８種類等上げられているが、昨今の研究の結果、前記８種類の鉱石では、マイナスイオン発生の効果については、疑問視されていることが多く、その中でもトルマリンに関しては、マイナスイオンの発生の可能性が高いとされ、数々の製品に使用されているが、昨今の研究では、マイナスイオンの発生は微弱であり、遠赤外線の天然鉱石としての効果の方が高いとされている。【０００５】  上記のように、マイナスイオン効果を利用した、繊維製品、育毛製品もあるが、マイナスイオン発生物質、発生原理を鑑みた際、効果があまり期待できないものであった。【０００６】  一方、育毛・発毛業界では、被覆を目的としたカツラ業界と、育毛・発毛剤及び育毛・発毛器具業界に分かれる。育毛或いは発毛を主目的にすると、育毛・発毛剤並びに育毛発毛器具があげられて、その作用として、頭皮部の毛根細胞の活性化及び老化予防による育毛及び発毛効果と脱毛予防がある。そのメカニズムとして一般的に細胞組織の栄養としての栄養剤すなわち育毛剤があり、また刺激による細胞活性化をするという育毛器具、例としてブラシ型叩き器具がある。【０００７】  しかしながら、育毛・発毛剤や育毛・発毛器具が育毛或いは発毛を目的或いは目標としているにもかかわらず、老化して生えなくなくなった頭髪部を、発毛する発毛剤及び発毛器具は見掛けられず、むしろ、育毛剤や育毛器具は、脱毛や老化を予防するといったものでしかなかったのが現実である。剥げた頭皮から新に髪がフサフサと生えてくるのが実感したいのが人々の望みであった。
【発明の開示】
【発明が解決しようとする課題】
【０００８】  解決しようとする問題点は、育毛或いは発毛を主目的にすると、育毛・発毛剤や育毛・発毛器具の原理にもあるように、まず頭皮細胞の毛根組織の活性化と、再活性化の蘇り方法にある。活性化方法には、頭皮細胞の活性化として栄養剤や刺激方法があり、原点にかえり、本来の育毛及び発毛促進効果のあるとされるような頭皮細胞を活性化させる素材を提供する。【０００９】  更に、最近の健康ブームで、マイナスイオンと遠赤外線が、人体の組織細胞を活性化して治癒効果があるとされると明らかはでないが言われはじめており、従来の育毛を目的としたものよりも、よりマイナスイオン効果を高めた製品を提供することである。
【課題を解決するための手段】
【００１０】  上記の問題点を鑑みたところ、まず頭皮細胞を活性化して毛根組織の再生化する素材を見いだすものが必要であるため、マイナスイオンと遠赤外線効果に着目し、増幅効果もあわせて各々検討を重ねた結果、プラスイオンよりもマイナスイオンの方が多く同時生成しつつ、同時に遠赤外線が増幅し放射する混合体組成物並びに樹脂組成物、すなわち、混合体組成物として、堆積礫岩天然鉱石と希土元素類を含む混合体組成物であり、また樹脂組成物として、堆積礫岩天然鉱石と希土元素類を含む天然鉱石と静電気に帯電しない樹脂を混合した樹脂組成物であり、これらの組成物を帽子の素材に、全面又は一部に印刷或いは塗布することにより、作成した帽子を着用する構成とする。【００１１】  本発明において、堆積礫岩天然鉱石として、その鉱石成分として、酸化シリカ、酸化アルミニウム、酸化鉄、酸化チタン、酸化カルシウム、酸化マグネシウム、酸化ナトリウム、酸化カリウム、酸化マンガン、酸化ホウ素、酸化クロム、酸化ジルコニウムを成分質量とする天然鉱石である。天然鉱石であるため、より好ましくは、質量％が、酸化シリカ４７〜５５、酸化アルミニウム１０〜１４、酸化鉄６〜８、酸化チタン０．７〜１．０、酸化マグネシウム６〜８、酸化ナトリウム２〜４、酸化カリウム０．０８〜０．３、酸化マンガン０．１〜０．２、酸化ホウ素０．１〜０．２、酸化クロム０．０７〜０．２、酸化ジルコニウム０．０１〜０．０２の成分質量を有する範囲の天然鉱石すなわち、堆積礫岩を用いることができる。
上記の堆積礫岩の粒径として、１ｍｍ以下に粉砕したものを用いる事が出来る。より好ましくは、粒径が３０ミクロン以下に粉砕したものが、混合による増幅効果等に有益である。【００１２】  本発明において、希土元素類を含む天然鉱石として、フェルグソン石、モナズ石、バストネス石、ゼノタイム石、コルンブ石、ベタホ石、サマルスキー石、タンタル石、ウラン石、方トリウム石、ゴム石、ガドリン石等がある。これらの鉱石のうち、極微弱な放射線を放出し、人体に悪影響を及ぼさないとされている１．０ｍＳｖ／年以下の放射線を放射し、放射線濃度として、原子力規制法で、届出を要しない３７０ベクレル／ｇ以下の放射線濃度とする天然鉱石として、最も好ましいものは、モナズ石である。
上記の天然鉱石の粒径として、１ｍｍ以下に粉砕したものを用いることが出来る。より好ましくは、粒径が３０ミクロン以下に粉砕されたものが、混合による増幅効果等に有益である。【００１３】  本発明において、混合する樹脂として、マイナスイオン増幅効果ならびに遠赤外線の増幅効果に影響が及ぼさない樹脂すなわち、静電気に帯電しない樹脂が特定できる。
静電気に帯電しない樹脂として、シリコンエマルジョン、シリコン・アクリル共重合エマルジョン、アクリルエマルジョン、酢酸ビニールエマルジョン、フッソエマルジョン、ポリウレタンエマルジョン、天然ゴムラテックス、スチレンブタジエンゴムラテックス、イソプレンゴムラテックス、アクリロニトリルラテックス、クロロプレンラテックス等の水性樹脂を用いる事が出来、また溶剤含有樹脂として、ポリウレタン溶剤含有樹脂、アクリル溶剤含有樹脂ならびに紫外線硬化樹脂を用いる事ができる。【００１４】  本発明において、堆積礫岩粉体と希土類鉱石粉体との混合比率は、堆積礫岩粉体１００重量部数に対し、希土類鉱石粉体１０〜１００重量部数である。より好ましくは、堆積礫岩粉体１００重量部数に対し、希土類鉱石粉体１０〜４０重量部数である。
また、静電気に帯電しない樹脂と、堆積礫岩粉体と、希土類鉱石粉体の混合比率は、樹脂固形分１００重量部数に対し、堆積礫岩粉体５〜３０重量部数、希土類鉱石粉体５〜３０重量部数である。【００１５】  本発明において、織布及び不織布の布地として、木綿、麻、羊毛、レーヨン、ナイロン、ポリエステル、アクリル、炭素繊維等があり、それぞれの繊維を単独で用いたり、混紡、交織して用いたりした織布及び不織布が使用できる。
織布及び不織布に、混合組成物並びに樹脂組成物を塗布加工する方法として、ディッピング加工、コーティング加工、捺染加工、ストライプ加工、メッシュ加工、スプレー加工、ドット加工があり、いずれの加工方法でも用いる事が出来る。織布及び不織布の加工部位として、表基材の裏面、裏布、芯地、テープ布等の部分に塗布加工することが出来る。
【発明の効果】
【００１６】  本発明は、帽子布材の部位に、プラスイオンよりもマイナスイオンを多く同時生成しつつ、同時に遠赤外線が増幅放射する混合組成物並びに樹脂組成物を塗布した帽子が、マイナスイオンの大量発生効果と、遠赤外線の高放射効果により、頭皮部の細胞活性効果による育毛及び発毛促進効果及び毛根細胞の老化からの再生発毛効果を見い出した。
【実施例】
【００１７】以下に、実施例と比較例をあげて詳細に本発明を説明する。
【表１】
2005273123.tif 000002
堆積礫岩粉体とモナズ石粉体は、１５ミクロン以下に粉砕したものを用いた。基材試料の作成は、ナイロン製不織布（製品名スパンボンド  旭化成製）を使用し、この不織布に、実施例１及び比較例１及び比較例２の水分散体を、攪拌しながら各々についてディッピング加工して、乾燥炉で１２０℃、１０分間で乾燥した。そのときの塗布量は、各々  固形分塗布量５０ｇ／ｍ２  であった。【００１８】
【表２】
2005273123.tif 000003
静電気に帯電しない樹脂として、シリコン・アクリル共重合エマルジョン（製品名  シャリーヌＦＥ−２３０  日信化学工業製）を用いて、混合して作成した樹脂組成物を使用した。
基材試料の作成は、同じくナイロン製不織布を使用し、上記と同じ方法で、ディッピング加工をして、乾燥炉で１２０℃、１０分間乾燥した。その時の塗布量は、固形分塗布量５０ｇ／ｍ２であった。【００１９】  実用化試験を実施するため、実施例１及び実施例２、比較例１及び比較例２及び比較例３及び比較例４で作成した加工基材を、各々、帽子の裏材として使用して、裏材全面に縫製して、それぞれのカジュアル帽子を作成した。【００２０】  実施例１及び２、比較例１及び２及び３及び４の上記加工した帽子のイオン測定と、遠赤外線測定をした。
イオン測定方法は、空気イオンカウンターＩＴＣ−２０１Ｃ（アンデス電気製）を用いて、５分間平均のマイナスイオン生成数と、プラスイオン生成数を測定した。
遠赤外線測定は、公的機関の環境イオン計測センターで、遠赤外線放射率のＦＴＩＲ測定をして、人体体温域３５℃、波長４〜１４μの平均放射率を求めた。
その結果を、表３及び表４に示した。【００２１】
【表３】
2005273123.tif 000004
【００２２】
【表４】
2005273123.tif 000005
【００２３】  実施例１及び２の帽子から明らかのように、堆積礫岩とモナズ石及び堆積礫岩とモナズ石と静電気に帯電しない樹脂との組み合わせた加工方法により、プラスイオンよりもマイナスイオンの方が多く発生しつつ、遠赤外線放射率も、多く増幅している。
この現象は、堆積礫岩の持つ遠赤外線及びその他と、モナズ石の持つイオン生成能力及び微弱な放射線並びに、静電気に帯電しない樹脂の作用、とが互いに相互作用で反応し合い、またプラスイオンの抑制作用が生じたと判定される。【００２４】  それに対し、比較例１及び３では、遠赤外線放射率が増幅しておらず、マイナスイオンも発生していない。また、比較例２及び４では、マイナスイオンよりもプラスイオンの方が多く生成しつつ、遠赤外線も増幅していない。【００２５】  本発明をより効果があると実証するために、実用化段階に入っているマイナスイオン効果と遠赤外線効果を利用した育毛機能を有する帽子としての実施例及び比較例をあげて、詳細を明らかにしていく。
上記、実施例１及び２、並びに比較例１及び２及び３及び４で作成した帽子の試着方法として、年齢は、５０歳以上、頭部の状態が、円形脱毛の人、約５分の一以上の面積が脱毛状態である人、生え際脱毛の人を選任して、ランダムに、実施例１及び２、並びに比較例１及び２及び３及び４の６品種の帽子を、各々２０着、各々２０名に試着してもらい各々の人にアンケート結果を採った。結果の判定は、各々２０名平均の発毛の有無の百分率（発毛率％）と、発毛状態を示した。
その結果を、表５及び表６に示した。【００２６】
【表５】
2005273123.tif 000006
【００２７】
【表６】
2005273123.tif 000007
【００２８】  表５の実施例の着用試験結果から明らかのように、ほとんどの人が、脱毛部分から１ヵ月後には、発毛しているばかりか、発毛部の面積が約８０％に達していた現象である。
この作用効果として、プラスイオンよりもマイナスイオンの方が多く同時生成しつつ、同時に遠赤外線が増幅放射する混合組成物並びに樹脂組成物の作用が、頭皮部の毛根細胞の活性効果が促進され、再発毛現象が出現したということが明らかである。【００２９】  一方、表６の比較例の着用試験結果から明らかなように、すべての人が、発毛効果がなかった。低放射率の遠赤外線の単独効果と、プラスイオンの方が多いイオン効果の単独効果では、発毛促進効果はないことが明らかとなった。
【産業上の利用可能性】
【００３０】  帽子を被るだけで、発毛効果があるとすれば、現在脱毛等で悩んでいる人々が、簡単安価で発毛効果を手にする事が可能となった。